(57)【特許請求の範囲】
【請求項１】
放送波を受信して映像及び音声を生成する手段と、
映像を表示する映像表示手段と、
音声を出力する音声出力手段と、
映像及び音声の記録再生を行なう記録再生手段と、
バッテリ残量を示す残量信号を出力する手段と、
前記映像表示手段による映像の表示及び前記音声出力手段による音声を出力をしているとき、前記残量信号に基づいて、前記映像表示手段の表示の明るさを低減する第１制御段階と、前記映像表示手段による映像の表示を停止し且つ前記記録再生手段による受信した映像及び音声の記録を行なう第２制御段階とを制御する制御手段とを備えることを特徴とする携帯型視聴装置。
【請求項２】
前記制御手段は、前記残量信号に基づいて、前記映像表示手段による映像の表示及び前記音声出力手段による音声の出力を停止し且つ前記記録再生手段による受信した映像及び音声の記録を行う第３制御段階を制御する請求項１に記載の携帯型視聴装置。
【請求項３】
放送波を受信して映像及び音声を生成するする手段と、
映像を表示する映像表示手段と、
音声を出力する音声出力手段と、
映像及び音声の記録再生を行なう記録再生手段と、
バッテリ残量を示す残量信号を出力する手段と、
前記記録再生手段による受信した映像及び音声の記録と記録した映像及び音声の再生を行い、前記映像表示手段による映像の表示及び前記音声出力手段による音声の出力をしているとき、前記残量信号に基づいて、前記映像表示手段の表示の明るさを低減する第１制御段階と、前記記録再生手段による記録した映像及び音声の再生を停止する制御手段とを備えることを特徴とする携帯型視聴装置。
【請求項４】
放送波を受信して映像及び音声を生成するする手段と、
映像を表示する映像表示手段と、
音声を出力する音声出力手段と、
映像及び音声の記録再生を行なう記録再生手段と、
バッテリ残量を示す残量信号を出力する手段と、
前記記録再生手段による受信した映像及び音声の記録と前記映像表示手段による別の記録映像の表示及び前記音声出力手段による別の記録音声の出力をしているとき、前記残量信号に基づいて、前記映像表示手段の表示の明るさを低減する第１制御段階と、
前記別の記録映像の表示及び音声の出力を停止する第２制御段階とを制御する制御手段とを備えることを特徴とする携帯型視聴装置。
【請求項５】
放送波を受信して映像及び音声を生成するする手段と、
映像を表示する映像表示手段と、
音声を出力する音声出力手段と、
映像及び音声の記録再生を行なう記録再生手段と、
バッテリ残量を示す残量信号を出力する手段と、
受信中の番組の残り時間と前記残量信号とに基づいて前記各手段の動作を制御する制御手段と、
を備えたことを特徴とする携帯型視聴装置。
【請求項６】
放送波を受信して映像及び音声を生成する手段と、
映像を表示する映像表示手段と、
音声を出力する音声出力手段と、
映像及び音声の記録再生を行なう記録再生手段と、
バッテリ残量を示す残量信号を出力する手段と、
受信番組の映像表示停止と記録開始の制御及び／又は再生停止と受信番組の記録続行の制御を前記残量信号に基づいて行なう制御手段と、
を備えたことを特徴とする携帯型視聴装置。
【発明の詳細な説明】
【０００１】
【産業上の利用分野】
この発明は、テレビ視聴等が行える携帯型視聴装置に関する。
【０００２】
【従来の技術】
従来より、携帯型のテレビジョン受信装置が提供されており、かかる装置は内蔵の小型チューナによって地上波アナログ放送を受信し、液晶表示パネルに受信映像を映し出すようになっている。また、近年においては、ＭＰＥＧ４（Ｍｏｖｉｎｇ  Ｐｉｃｔｕｒｅ  Ｅｘｐｅｒｔｓ  Ｇｒｏｕｐ４）に基づいた符号化映像データをメモリカードに記録し、このメモリカードを携帯型視聴装置のスロットに装填することにより、外出先でも録画映像を楽しむことができるようになっている。ＭＰＥＧ４に基づいた符号化映像データは、通常のテレビジョン放送による受信映像やハンディカメラで撮像した映像をＭＰＥＧ４エンコーダに通すことで得たり、或いは、インターネットを利用してダウンロードすることで得ることができる。
【０００３】
【発明が解決しようとする課題】
このように、映像の符号化技術の高度化や機器の小型化によって、外出先でも手軽に映像を楽しむことができるようになっているが、携帯型視聴装置の電源にはバッテリが用いられるため、バッテリの残量が低下して番組を最後まで見ることができなかったという不満が生じる可能性がある。
【０００４】
この発明は、上記の事情に鑑み、バッテリの残量低下に起因する番組視聴断念を極力回避することができる携帯型視聴装置を提供することを目的とする。
【０００５】
【課題を解決するための手段】
この発明の携帯型視聴装置は、上記の課題を解決するために、放送波を受信して映像及び音声を生成する手段と、映像を表示する映像表示手段と、音声を出力する音声出力手段と、映像及び音声の記録再生を行なう記録再生手段と、バッテリ残量を示す残量信号を出力する手段と、前記映像表示手段による映像の表示及び前記音声出力手段による音声を出力をしているとき、前記残量信号に基づいて、前記映像表示手段の表示の明るさを低減する第１制御段階と、前記映像表示手段による映像の表示を停止し且つ前記記録再生手段による受信した映像及び音声の記録を行なう第２制御段階とを制御する制御手段と、を備えたことを特徴とする。
【０００６】
上記の構成であれば、バッテリ残量を示す残量信号に基づいて段階的に映像表示手段及び音声出力手段を低電力消費となるように制御するので、バッテリの残量低下に起因する番組視聴断念を極力回避することができる。
【０００８】
放送波による受信映像及び音声を記録しつつその記録映像及び音声を再生して出力する追っかけ再生時には、映像表示手段の表示明るさを低減する第１制御段階を経て、再生は停止し且つ記録再生手段による受信映像及び音声の記録については継続する第２制御段階に移行するように構成されていてもよい。
【０００９】
放送波による受信映像及び音声を記録しつつ別の記録映像及び音声を再生して出力する記録／再生処理時には、映像表示手段の表示明るさを低減する第１制御段階を経て、再生は停止し且つ記録再生手段による受信映像及び音声の記録については継続する第２制御段階に移行するように構成されていてもよい。
【００１１】
また、この発明の携帯型視聴装置は、映像を表示する映像表示手段と、音声を出力する音声出力手段と、映像及び音声の記録再生を行なう記録再生手段と、を備えた携帯型視聴装置において、バッテリ残量を示す残量信号を出力する手段と、受信中の番組の残り時間と前記残量信号とに基づいて前記各手段の動作を制御する制御手段と、を備えたことを特徴とする。
【００１２】
また、この発明の携帯型視聴装置は、放送波を受信して映像及び音声を生成する手段と、映像を表示する映像表示手段と、音声を出力する音声出力手段と、映像及び音声の記録再生を行なう記録再生手段と、を備えた携帯型視聴装置において、バッテリ残量を示す残量信号を出力する手段と、受信番組の映像表示停止と記録開始の制御及び／又は再生停止と受信番組の記録続行の制御を前記残量信号に基づいて行なう制御手段と、を備えたことを特徴とする。
【００１３】
【発明の実施の形態】
以下、この発明の実施形態を図１乃至図５に基づいて説明する。
【００１４】
図１及び図２は、携帯型視聴装置２と据置型周辺装置１とから成る放送視聴システムを示している。このシステムでは、据置型周辺装置１がアナログ放送を受信し、この受信した放送をエンコードして得た符号化映像・音声データをスロット１０１に差し込まれたメモリカード３（例えばコンパクトフラッシュカード（商標）やマルチメディアカード（商標）等）に格納する。据置型周辺装置１の本体部１ａにおける手前側には、収容凹部１ｃが形成されており、この収容凹部１ｃに携帯型視聴装置２を差し込んで装着することができる。この装着状態で携帯型視聴装置２は据置型周辺装置１から充電を受けるようになっている。
【００１５】
携帯型視聴装置２は、略方形状で偏平な形状を有しており、電池駆動される構成となっている。携帯型視聴装置２は、チューナによって地上波ディジタル放送を受信し、映像を液晶表示パネル２０２上に映し出すとともに、音声をイヤホンから出力する。また、スロット２０１に差し込まれたメモリカード３（図１，２ではＰＨＳデータカード４装填されている状態を示している）から符号化映像・音声データを読み出し、映像を液晶表示パネル２０２上に映し出すとともに、音声をイヤホンから出力する。液晶表示パネル２０２上にはタッチパネル２１１が貼られており、タッチペン等によってパネル操作を行って所望の指示を与えることができる。なお、視聴に関する操作ボタン（プレイ／ポーズ、ストップ、送り、音量等）については、筐体部に設けている。
【００１６】
以下、これら据置型周辺装置１と携帯型視聴装置２の回路構成を、図３に基づいて詳しく説明していく。
【００１７】
まず、据置型周辺装置１について説明していく。チューナ１０２は、アナログ放送を受信し、この放送受信信号を出力する。チューナ１０２の起動指令や任意の放送を受信するための選局情報（チャンネル情報）は、Ｉ／Ｏ（インプット／アウトプット）回路１０３及びシステムバス１０４を介してＣＰＵ１１０から与えられる。ＣＰＵ１１０は、ユーザによる選局指令情報（指定チャンネル情報、指定時間情報など）を、システムバス１０４、ＰＣＭＣＩＡインターフェイス１０５、及びスロット１０１を介して前記メモリカード３から受け取る。スイッチ１０６は、前記放送受信信号を入力する入力部と外部信号を入力する入力部とを有し、いずれかの信号を選択してＡ／Ｄ変換回路１０７に供給する。
【００１８】
Ａ／Ｄ変換回路１０７は、アナログ信号をディジタル信号に変換してＭＰＥＧ４（Ｍｏｖｉｎｇ  Ｐｉｃｔｕｒｅ  Ｅｘｐｅｒｔｓ  Ｇｒｏｕｐ４）エンコーダ１０８に供給する。ＭＰＥＧ４エンコーダ１０８は、ＭＰＥＧ４に従い、例えば、映像中の背景や背景中の人物を各々オブジェクトとして個別に記述し、この任意形状の各オブジェクトを取り扱うために形状情報を付加すると共にＭＰＥＧ２と同様にＤＣＴ処理や動きベクトル処理等を行ってビデオパケットを生成し、これを連続させたビットストリームを出力する。音声についても所定の符号化を行い、この音声符号化データを上記ビットストリームに組み込む。ＳＤＲＡＭ１０９は、ＭＰＥＧ４エンコーダ１０８の上記処理において利用される。
【００１９】
ＭＰＥＧ４エンコーダ１０８が出力したビットストリーム（符号化映像・音声データ）は、システムバス１０４、ＰＣＭＣＩＡインターフェイス１０５、及びスロット１０１を介して前記メモリカード３に格納される。
【００２０】
スロット１０１及びＰＣＭＣＩＡインターフェイス１０５のセットは、二組設けられている。スロット１０１には、上記メモリカード３の他、ＰＨＳデータカード４等を装着することができる。
【００２１】
充電回路１１３は、商用電源からの交流を直流化する回路等を有して成り、図１に示すごとく携帯型視聴装置２が据置型周辺装置１に装着されたとき、図示しない充電端子部を介して携帯型視聴装置２への充電電力供給を行う。
【００２２】
ＣＰＵ１１０は、上述したチューナ１０２の動作制御やＭＰＥＧ４エンコーダ１０８の出力をメモリカード３に格納する処理（録画処理）を行う他、スロット１０１にＰＨＳデータカード４が装着された場合のデータ送受信、このデータに基づく各機能部の制御、ＦｌａｓｈＲＯＭ１１１やＤＲＡＭ１１２のリード／ライト制御なども行うようになっている。
【００２３】
次に、携帯型視聴装置２を説明していく。メモリカード３に格納されているＭＰＥＧ４ビットストリームデータは、ＰＣＭＣＩＡインターフェイス２２０、及びシステムバス２１３を経てＭＰＥＧ４デコーダ２０４に供給される。また、地上波ディジタル放送を受信するチューナ２３０は、この地上波ディジタル放送で放送されるＭＰＥＧ４のビットストリームデータを取り出し、ＭＰＥＧ４デコーダ２０４に与えたり、メモリカード３に記録すべくシステムバス２１３に供給したりする。ＭＰＥＧ４デコーダ２０４は、前記ビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５は、ＣＰＵ２０９から出力指示された文字等（操作ボタン、メニュー画面、地上波ディジタル放送から取得した番組情報によるＥＰＧ画面等）を液晶表示パネル２０２に表示する処理も行う。オーディオデコーダ２０６は、ビットストリーム中の音声符号データをＭＰＥＧ４デコーダ２０４から受け取り、復号して音声データを生成する。ＳＤＲＡＭ２１０は、ＭＰＥＧ４デコーダ２０４の上記処理において利用される。
【００２４】
ＬＣＤコントローラ２０７は、グラフィックスコントローラ２０５から供給された映像データに基づいて液晶表示パネル２０２を駆動する。また、Ｄ／Ａ変換器２０８は、オーディオデコーダ２０６から出力された音声データを受け取ってＤ／Ａ変換を行い、右（Ｒ）音のアナログ信号および左（Ｌ）音のアナログ信号を生成してイヤホン２０３に与える。
【００２５】
タッチパネル２１１に対する操作情報は、専用インターフェイス２１２、及びシステムバス２１３を介してＣＰＵ２０９に与えられる。ＣＰＵ２０９は上記操作情報と液晶表示パネル２０２上の操作ボタン等の表示との対応によって指令内容を把握して必要な処理を実行する。
【００２６】
本体キー２１４は先述した視聴に関する操作ボタン（プレイ／ポーズ、ストップ、送り）に相当する。この本体キー２１４に対する操作情報は、インターフェイス２１５、及びシステムバス２１３を介してＣＰＵ２０９に与えられる。ＣＰＵ２０９は上記操作情報に基づいて必要な処理を実行する。
【００２７】
また、無線ネットワークを可能にするために、通信ブロック２１６及びインターフェイス（例えば、Bluetooth （商標）など）２１７が設けられている。更に、ＦｌａｓｈＲＯＭ２１８やＳＤＲＡＭ２１９も備える。携帯電話部２３１は、通常の電話のために用いることとしている。
【００２８】
電池２２１は二次電池であり、据置型周辺装置１から電力の供給を得てこれを蓄えるようになっている。電池残量管理部２４０は、電池２１１の電圧値を検出し、この電圧値に基づいて残量信号を生成してＣＰＵ２０９に伝える。勿論、電圧値によらずに電池２１１の残量を検出するようにしてもよい。なお、残量信号は、この実施形態では、レベル１（残量多）乃至レベル１０（残量少）の１０段階信号としている。
【００２９】
ＣＰＵ２０９は、無線ネットワークのための処理、スロット２０１にＰＨＳデータカード４が装着された場合のデータ送受信、受信データに基づく各機能部の制御、ＦｌａｓｈＲＯＭ２１８やＳＤＲＡＭ２１９のリード／ライト制御なども行うようになっている。更に、ユーザがタッチパネル２１１等を用いて受信番組指定（チャンネル及び時刻指定）を行ったときには、その情報をメモリカード３に格納する処理を行うようになっている。また、ＣＰＵ２０９は電池残量管理部２４０から残量信号を受け取り、省電力化制御を行なう。この省電力化制御については後で詳述する。
【００３０】
携帯型視聴装置２は、ＴＶ視聴、ＴＶ録画、ＴＶ予約録画、通常再生の他、追っかけ再生、裏録再生といった機能を備えている。
【００３１】
利用者によって「ＴＶ視聴」が選択されると、チャンネル選択のために例えばリモコンを表した画像を液晶表示パネル２０２に表示し、ユーザのペン入力で指定されたチャンネルの番組を受信すべくチューナを制御し、取得したその番組のビットストリームデータに基づいて番組を表示する。また、「追っかけ再生」の機能が選択されているときには、例えば、ＴＶ視聴中に電話がかかってきたなどに、その時からＴＶの自動録画処理が実行され、通話の終了後に、電話がかかってきたときの部分から再生処理が行なわれることになる。また、「裏録再生」の機能が選択されたときには、ＴＶの録画処理とともにメモリカード３から別の映像データを再生して液晶表示パネル２０２上に映像を表示する。
【００３２】
［通常のＴＶ視聴時］
ＣＰＵ２０９は、通常のＴＶ視聴時において、以下に述べるような省電力化制御を行なう。ＣＰＵ２０９は、電池残量管理部２４０からの残量信号を監視しており、残量信号がレベル４を示す信号となったときには、ＬＣＤパネル２０２におけるバックライト駆動部に対して低電力化指示を出す。この指示により、ＬＣＤパネル２０２の表示は暗くなり、消費電力が低下する。更に、残量信号がレベル６を示す信号となったときには、映像表示のための要素（ＭＰＥＧ４デコーダ２０４，グラフィックスコントローラ２０５，ＬＣＤコントローラ２０７，ＬＣＤパネル２０２）の動作を停止させ、その一方で受信映像及び音声（ＭＰＥＧ４データ）をメモリカード３に記録する制御を開始する。なお、この制御時には、図４に示すように、「バッテリが少なくなりました！！」「映像表示を停止し、番組の続きを記録します」といったメッセージを例えば２秒程度、ＬＣＤパネル２０２において表示するようにしている。更に、残量信号がレベル７を示す信号となったときには、音声出力のための要素（オーディオデコーダ２０６，Ｄ／Ａ変換器２０８）の動作も停止させる。
【００３３】
［追っかけ再生時］
ＣＰＵ２０９は、追っかけ再生時において、以下に述べるような省電力化制御を行なう。ＣＰＵ２０９は、電池残量管理部２４０からの残量信号を監視しており、残量信号がレベル４を示す信号となったときには、ＬＣＤパネル２０２におけるバックライト駆動部に対して低電力化指示を出す。この指示により、ＬＣＤパネル２０２の表示は暗くなり、消費電力が低下する。更に、残量信号がレベル７を示す信号となったときには、メモリカード３から映像・音声データを読み出す処理を停止するとともに、映像表示のための要素（グラフィックスコントローラ２０５，ＬＣＤコントローラ２０７，ＬＣＤパネル２０２）の動作を停止させる。その一方、受信映像及び音声（ＭＰＥＧ４データ）をメモリカード３に記録する制御は継続する。
【００３４】
［裏録再生時］
ＣＰＵ２０９は、裏録再生時において、以下に述べるような省電力化制御を行なう。ＣＰＵ２０９は、電池残量管理部２４０からの残量信号を監視しており、残量信号がレベル４を示す信号となったときには、ＬＣＤパネル２０２におけるバックライト駆動部に対して低電力化指示を出す。この指示により、ＬＣＤパネル２０２の表示は暗くなり、消費電力が低下する。更に、残量信号がレベル７を示す信号となったときには、メモリカード３から映像・音声データを読み出す処理を停止するとともに、映像表示のための要素（グラフィックスコントローラ２０５，ＬＣＤコントローラ２０７，ＬＣＤパネル２０２）の動作を停止させる。その一方、受信映像及び音声（ＭＰＥＧ４データ）をメモリカード３に記録する制御は継続する。
【００３５】
このように、通常のＴＶ視聴、追っかけ再生、裏録再生において、バッテリ残量が低下したときには、受信番組をそのときには視聴できなくなるものの、メモリカード３への記録は行なわれるので、後で上記受信番組を視聴することが可能である。
【００３６】
なお、以上の例では、電池残量に応じて段階的な省電力化制御を行なったが、このような段階的制御に限るものではなく、例えば、電池残量が半分となったとき等に、受信番組の映像表示停止と記録開始の制御（通常ＴＶ視聴時）、受信番組の記録続行と再生停止の制御（追っかけ再生時，裏録再生時）を実行するようにしてもよい（図５参照）。
【００３７】
ところで、ディジタル放送においては、番組自体の映像・音声データの他、番組情報（番組名、番組開始時刻、番組継続時間、ジャンル情報等）が、放送波に載せられており、ＣＰＵ２０９は前記番組開始時刻及び番組継続時間と現在日時との対比によって現在受信中の番組が何分後に終了するかを把握することができる。そこで、ＣＰＵ２０９は、残量信号と受信番組残り時間とによって少電力化制御を行なうことができる。例えば、残量信号がレベル５となったときに、受信番組の残り時間が１時間を越えている場合には、受信番組の記録開始と映像表示停止の制御（通常ＴＶ視聴時）等を実行することになる。
【００３８】
なお、画面メッセージとして、「この番組は残り１時間あり、最後まで視聴できない可能性があります」「映像表示を停止し、番組の続きを記録しますか」をを表示するとともに、「ＹＥＳ」「記録せずに電池がもつかぎり見る」「チャンネル変更」といったボタンを用意し、利用者に処理を選択させることとしてもよいものである。
【００３９】
【発明の効果】
以上説明したように、この発明によれば、バッテリの残量低下に起因する番組視聴断念を極力回避することができるという効果を奏する。
【図面の簡単な説明】
【図１】この発明の携帯型視聴装置及びその周辺装置の装着状態を示した外観斜視図である。
【図２】携帯型視聴装置の外観斜視図である。
【図３】携帯型視聴装置及びその周辺装置の構成を示したブロック図である。
【図４】携帯型視聴装置の画面メッセージ例を示した説明図である。
【図５】通常時と少電力化時の各要素の駆動／非駆動の一例を示した説明図である。
【符号の説明】
１        据置型周辺装置
１０２    チューナ
１０８    ＭＰＥＧ４エンコーダ
１１３    充電回路
２        携帯型視聴装置
２０２    液晶表示パネル
２０４    ＭＰＥＧ４デコーダ
２２１    電池
２４０    電池残量管理部
３        メモリカード
【図１】
0004024061.tif 000002
【図２】
0004024061.tif 000003
【図３】
0004024061.tif 000004
【図４】
0004024061.tif 000005
【図５】
0004024061.tif 000006